(57)【要約】      （修正有）【課題】生ごみの投入を、簡易な操作・手順により、同じ位置に行っても、嫌気性の腐敗醗酵を生ぜしめずに順調に好気醗酵が進行するようになり、しかも、醗酵床を新しい籾殻と交換するときの醗酵床の取り出しが、簡単に行えるようになる使い勝手のよい生ごみ処理機を構成する。【解決手段】有底の円筒形状に形成した醗酵槽２の内部に、放線菌を接種した籾殻を容量の８分目程度に填め、醗酵槽２の内部の軸芯部位に、縦方向の回転軸３を回転自在に軸架し、その回転軸３の周面には、移送翼を螺旋に巻き付けてなるスクリューコンベアａを、外径が醗酵槽２の胴周壁２３の内径の略半分程度に形成して装設し、かつ、スクリューコンベアａの螺旋の移送翼のピッチ間隔の間で、前記移送翼の下面に沿う位置に、回転軸３から放射方向に突出して突出端が醗酵槽２の胴周壁２３の内面に略届く長さの細長い歯杆状乃至細径の丸棒状の叩き落としバーｂを取り付けた。【選択図】図１０
0003142148.tif 000002
【実用新案登録請求の範囲】
【請求項１】
一端側が開放し他端側が閉塞された有底の円筒形状に形成した醗酵槽（２）の内部の軸芯部位に、縦方向の回転軸（３）を回転自在に軸架し、一方の軸端部を、電動モータ（Ｍ）の出力軸に伝導して駆動回転可能とし、その回転軸（３）の周面に、移送翼を螺旋に巻き付けてなるスクリューコンベア（ａ）を、外径が醗酵槽（２）の胴周壁（２３）の内径の略半分程度に形成して装設し、かつ、スクリューコンベア（ａ）の螺旋の移送翼のピッチ間隔の間で、前記移送翼の下面に沿う位置に、回転軸（３）から放射方向に突出して突出端が醗酵槽（２）の胴周壁（２３）の内面に略届く長さの細長い歯杆状乃至細径の丸棒状の叩き落としバー（ｂ）を配位して回転軸（３）に取り付けたことを特徴とする生ごみ処理機。
【請求項２】
箱状に組み立て、上面側に開閉自在の上蓋（１１）を設けた台箱状の外筐（１）内に、一端側が開放し他端側が閉塞された有底の円筒形状に形成した醗酵槽（２）を、軸線方向が上下方向で開放する一端側が上方に向かう縦の姿勢として組み込み、その醗酵槽（２）の内部に、放線菌を接種した籾殻（Ｈ）を容量の８分目程度に填め、醗酵槽（２）の内部の軸芯部位には、縦方向の回転軸（３）を配位して、該醗酵槽（２）に対し回転自在に軸架し、一方の軸端部を、電動モータ（Ｍ）の出力軸に伝導して駆動回転可能とし、その回転軸（３）の周面には、移送翼を螺旋に巻き付けてなるスクリューコンベア（ａ）を、外径が醗酵槽（２）の胴周壁（２３）の内径の略半分程度に形成して装設し、かつ、スクリューコンベア（ａ）の螺旋の移送翼のピッチ間隔の間で、そのスクリューコンベア（ａ）の移送翼の下面に沿う位置に、回転軸（３）から放射方向に突出して突出端が醗酵槽（２）の胴周壁（２３）の内面に略届く長さの細長い歯杆状乃至細径の丸棒状の叩き落としバー（ｂ）を配位して回転軸（３）に取り付け、醗酵槽（２）の胴周壁（２３）の下端に寄る部位に取出口（ｃ）を開設して、開閉自在のシャッタ（８０）により閉塞したことを特徴とする生ごみ処理機。
【請求項３】
醗酵槽（２）の下部の周壁を、底壁（２１）に向け下降傾斜する傾斜壁（２２）乃至弯曲壁（２２ａ）に形成してコーン状の底部（２ａ）に成形し、かつ、その底部（２ａ）の底壁（２１）をスクリューコンベア（ａ）の螺旋の移送翼の回動軌跡に略対応する広さの平板状に形成し、スクリューコンベア（ａ）の螺旋の移送翼の下端側の端縁を、前記底壁（２１）の上面に近接して回転するスクレパー状に形成したことを特徴とする請求項１または請求項２記載の生ごみ処理機。
【考案の詳細な説明】
【技術分野】
【０００１】
本考案は、台所・炊事場に日々に生ずる厨芥等の有機質の生ごみの処理を、放線菌を接種した籾殻を用い、その籾殻内に生ごみを投入し、好気醗酵させ、分解処理して堆肥原料となる態様のものに変換させることにより行う形式の生ごみ処理機に関する。
【背景技術】
【０００２】
台所・炊事場に日々生じる厨芥類の有機質の生ごみの処理を、放線菌を接種した籾殻を用い、その中に生ごみを投入して、好気醗酵させて炭酸ガスと水とに分解処理し、同時に残渣を醗酵床となる籾殻とともに堆肥化させ、堆肥原料として利用する形態の生ごみ処理機がある。
【０００３】
この生ごみ処理機は、図１・図２に示しているように、台所の床に設置し得るよう、厨房台程度の高さ及び容積の横長の箱状に形成した外筺１の内部に、容積が８０立程度の横倒しの半円筒形状に形成した醗酵槽２を組み込み、この醗酵槽２内の軸心部位に、該醗酵槽２の長手方向に沿う回転軸３を配位して、該醗酵槽２の左右の端壁２０・２０間に渡架軸支し、この回転軸３には、軸方向に所定の間隔をおいた部位に、該回転軸３の放射方向に突出する攪拌翼３０を取り付け、かつ、該回転軸３の一方の軸端部を、端壁から突出させ、これに駆動プーリーまたは駆動ギヤ３１を組み付け、外箱となる前記外筺１内に設置する電動モータＭの出力軸と、伝導ベルトまたは伝導チェンを介し伝導して、その電動モータＭにより該回転軸３を駆動回転するようにし、前記箱状の外筺１は、それの上面側を開放口に形成し、その開放口に開閉回動を自在とした蓋板１０を設け、この外筺１内に組み込んだ前記醗酵槽２内に、放線菌を接種した籾殻Ｈを該醗酵槽２の容量の略８分目程度に充填しておくことで構成してある。
【０００４】
そして、この生ごみ処理機Ａは、台所、バルコニー・ベランダ、または屋外の適宜の場所に設置して、組み込んだモータの電源コードを、商用電源に接続して、電源モータＭの作動を制御する制御盤４に組み付けた電源スイッチＳをオンとし、電動モータＭにより駆動される回転軸３の作動を、前記制御盤に組み込んだタイマー回路に設定した６時間程度の時間をおいて数分間作動するように制御しておく。
【０００５】
台所等で生じる生ごみは、上述の状態にセットしてある生ごみ処理機Ａに対し、外囲体である外筺１の蓋板１０を開放して、それにより露出してくる醗酵槽２の上面側の開放口から、水を切った状態で、醗酵槽２内に装填してある放線菌を接種した籾殻Ｈの上に投入することで供給し、投入後は蓋板１０を閉じて放置する。
【０００６】
この投入された生ごみは、間欠的に作動する回転軸３に設けた攪拌翼３０により醗酵床となる籾殻が攪拌されることで、その籾殻の中に埋没し、籾殻に接種してある放線菌による好気醗酵を受け、大半が炭酸ガスと水とに分解し、炭酸ガスは外筺１に設けておく排気口５から放出され、水は、好気醗酵により発生する８０度近い醗酵熱により蒸気となって前述の排気口５から放出され、残渣が籾殻と共に堆肥化していく。
【０００７】
日々に投入する生ごみは、一度の投入量が５００ｇ〜１０００ｇであり、この投入により醗酵槽２内の籾殻よりなる醗酵床の量は、増大していくが、投入した生ごみの容積量が好気醗酵による分解作用で著しく容積量を減少してくることで、この醗酵槽２内の全体の醗酵床の量はそれほど増加せず、日々に前述の量の生ごみの投入があっても数％程度ずつの増加にとどまる。
【０００８】
しかし、１〜２月を経ると、堆肥化してくる生ごみの残渣が多く溜まってくることで、醗酵床の全体の容積量が増えて、醗酵槽２内に一杯になってくる。
【０００９】
日々に生ごみを投入していく使用により、このように醗酵槽２内の醗酵床の量が増えてきたとき、この堆肥化している醗酵床を取り出し、これを堆肥とし、醗酵槽２内には、新しい籾殻を填め込む。このとき、籾殻に対する放線菌の接種は、堆肥化している醗酵床の一割程度の量を、醗酵槽２内に残しておき、これに、新たに投入して充填する籾殻を加えていくことで、自然に接種されていくようにする。
【００１０】
このように使用されている生ごみ処理機には、以下の点に問題がある。
【００１１】
第１には、攪拌翼３０の回動による醗酵床の攪拌が、回転軸３の軸方向には行われないことで、１回に投入する生ごみの量を多くすると、投入した生ごみが、醗酵槽２内の籾殻よりなる醗酵床の内部に局所的に偏って存在するようになって、嫌気性の腐敗醗酵を生じ、悪臭のガスを発生するようになることで、１回の生ごみの投入量を５００ｇ程度の量に制限して投入しなければならない制約がある。
【００１２】
第２には、外筺１の蓋板１０を開放して、内部の醗酵槽２内に生ごみを投入するときに、投入位置を、投入するたびごとに変えるようにしないと、投入した生ごみが局所に偏り、全体の好気醗酵が有効に行われず、嫌気性の腐敗醗酵が生じて、悪臭ガスを発生させるようになり、かつ、生成する生ごみ堆肥を質の悪いものとするようになるので、生ごみを安易に投入し易い位置に投入するわけにはいかず、投入の際に、投入位置を選択しなければならない厄介な点がある。
【００１３】
第３には、醗酵槽２内に一杯になってきた醗酵床を取り出し、新たな籾殻に填め換えるとき、醗酵槽２内から手作業で醗酵床を浚い出すようにしなければならず、このとき、取り出す醗酵床を堆肥に使用することから、好気醗酵を受けずに、底部に生の状態で残っている籾殻を取りのけた状態として、取り出さなければならず、この取り出しが厄介なものとなっていることである。
【００１４】
第４には、使用した醗酵床を、良質の堆肥または堆肥原料として、取り出せるようにするためには、生ごみ処理機の取扱い使用に、生ごみの投入位置の選択や投入量の調節等に配慮が必要で、腐敗醗酵を生ぜしめずに良質の堆肥が得られるように生ごみ処理機を、取り扱い使用することがむずかしいことである。
【考案の開示】
【考案が解決しようとする課題】
【００１５】
本考案は、上述の放線菌を接種した籾殻を用いる形態の生ごみ処理機に生じている問題を解消するためになされたものであって、生ごみの１回の投入量を、通常の家庭において台所に生じる生ごみの量として最も多い量と想定される１ｋｇ程度に増やしても、また、生ごみの投入を、簡易な操作・手順により、同じ位置に行っても、嫌気性の腐敗醗酵を生ぜしめずに順調に好気醗酵が進行するようになり、しかも、醗酵床を新しい籾殻と交換するときの醗酵床の取り出しが、簡単に行え、かつ、無作為に取り扱い使用しても、良質な堆肥を取り出せるようになる使い勝手のよい生ごみ処理機を構成することを、課題とするものである。
【課題を解決するための手段】
【００１６】
本考案においては、上述の課題を解決するための手段として、
一端側が開放し他端側が閉塞された有底の円筒形状に形成した醗酵槽２の内部の軸芯部位に、縦方向の回転軸３を回転自在に軸架し、一方の軸端部を、電動モータＭの出力軸に伝導して駆動回転可能とし、その回転軸３の周面に、移送翼を螺旋に巻き付けてなるスクリューコンベアａを、外径が醗酵槽２の胴周壁２３の内径の略半分程度に形成して装設し、かつ、スクリューコンベアａの螺旋の移送翼のピッチ間隔の間で、前記移送翼の下面に沿う位置に、回転軸３から放射方向に突出して突出端が醗酵槽２の胴周壁２３の内面に略届く長さの細長い歯杆状乃至細径の丸棒状の叩き落としバーｂを配位して回転軸３に取り付けたことを特徴とする生ごみ処理機を提起し、また、この生ごみ処理機において、
箱状に組み立て、上面側に開閉自在の上蓋１１を設けた台箱状の外筐１内に、一端側が開放し他端側が閉塞された有底の円筒形状に形成した醗酵槽２を、軸線方向が上下方向で開放する一端側が上方に向かう縦の姿勢として組み込み、その醗酵槽２の内部に、放線菌を接種した籾殻Ｈを容量の８分目程度に填め、醗酵槽２の内部の軸芯部位には、縦方向の回転軸３を配位して、該醗酵槽２に対し回転自在に軸架し、一方の軸端部を、電動モータＭの出力軸に伝導して駆動回転可能とし、その回転軸３の周面には、移送翼を螺旋に巻き付けてなるスクリューコンベアａを、外径が醗酵槽２の胴周壁２３の内径の略半分程度に形成して装設し、かつ、スクリューコンベアａの螺旋の移送翼のピッチ間隔の間で、そのスクリューコンベアａの移送翼の下面に沿う位置に、回転軸３から放射方向に突出して突出端が醗酵槽２の胴周壁２３の内面に略届く長さの細長い歯杆状乃至細径の丸棒状の叩き落としバーｂを配位して回転軸３に取り付け、醗酵槽２の胴周壁２３の下端に寄る部位に取出口ｃを開設して、開閉自在のシャッタ８０により閉塞したことを特徴とする生ごみ処理機を提起し、また、この生ごみ処理機において、
醗酵槽２の下部の周壁を、底壁２１に向け下降傾斜する傾斜壁２２乃至弯曲壁２２ａに形成してコーン状の底部２ａに成形し、かつ、その底部２ａの底壁２１をスクリューコンベアａの螺旋の移送翼の回動軌跡に略対応する広さの平板状に形成し、スクリューコンベアａの螺旋の移送翼の下端側の端縁を、前記底壁２１の上面に近接して回転するスクレパー状に形成した生ごみ処理機を提起するものである。
【考案の効果】
【００１７】
本考案による生ごみ処理機は、日々に発生する生ごみを、放線菌を接種した籾殻Ｈが醗酵床として装填されている醗酵槽２に投入するとき、外筐１の上蓋１１を開放して、そこに露出してくる縦の円筒形状の醗酵槽２の上端側の開放口から、その醗酵槽２内の醗酵床の上面のどの場所にでも、ほうり込むように投入すれば、醗酵槽２内の醗酵床が、縦のスクリューコンベアａと叩き落としバーｂの作動で醗酵槽２内をくずされながら循環流動することで、投入した生ごみが醗酵床内に侵入して醗酵床に混合していくようになるので、生ごみの投入を著しく安易なものとする。
【００１８】
そして、投入した生ごみは、塊った状態で投入されても、醗酵床がスクリューコンベアａと叩き落としバーｂの作動で、崩されながら循環流動することにより、その醗酵床と一緒にときほぐされるようになるので、一回の投入量を、通常の家庭において一度に生じる生ごみの量の最も多い量として想定される１ｋｇ程度の量としても、嫌気性の腐敗醗酵を生ぜしめないことから、投入量について調節を行わずに生ごみの投入が行えるようになる。
【００１９】
また、外筐１の正面の扉１４を開いて、醗酵槽２の胴周壁２３に開設した取出口ｃを開放し、電動モータＭの作動によりスクリューコンベアａを作動させれば、醗酵槽２内の醗酵床が、新たに填め込む籾殻に対し放線菌を接種する種床となる分を残して自動的に取出口ｃから排出されてくるようになるから、新しい醗酵床との入れ換え作業を著しく容易にする。
【考案を実施するための最良の形態】
【００２０】
次に本考案の実施の態様を、実施例につき図面に従い詳述する。
【実施例１】
【００２１】
図３乃至図１１は本考案を実施せる生ごみ処理機を示し、図３はその生ごみ処理機の全体の斜視図、図４は同上の正面図、図５は側面図、図６は平面図、図７は後面図、図８は外筺の正面扉を開放した状態で醗酵槽を縦断した状態の正面図、図９は外筺の上面の台板及び上蓋を取り外した状態の平面図、図１０は、外筺の正面扉を取り外した状態の斜視図、図１１は要部の縦断正面図である。これらの図において、１は箱状に組み立てられた外筺、１１はその外筺１の上面側に開閉自在に設けた生ごみの投入口を構成する上蓋、２は、外筺１内に設けた生ごみ処理機の本体を構成する醗酵槽、３はその醗酵槽２内に設けた縦方向の回転軸、ａはその回転軸３に帯板状の移送翼６０を螺旋に巻き付けるように取り付けてなるスクリューコンベア、ｂは、そのスクリューコンベアａの螺旋の移送翼６０のピッチ間隔内に配位して回転軸３に取り付けた叩き落としバー、ｃは醗酵槽２の胴周壁の下端側に寄る部位に開設した醗酵床の取出口、４は制御盤、５は外筐１に設けた排気口を示す。
【００２２】
外筺１は、生ごみ処理機の本体となる醗酵槽２を組み付ける支持体となるとともに外周を囲う外囲体となるもので、この例のものでは、高さが約８５０ミリ、巾４５０ミリ、奥行き５５０ミリの縦長の長方形状の立方体に形成してある。この外筺１の上面側の天板は、平らな台板状に形成してあり、それの前半側は、上面側に設けた取手１２を持って操作することで、上方に開放回動する上蓋１１になっている。また、この外筺１の正面側の機壁は、蝶番１３により開閉回動する開閉扉１４に形成してあり、開閉操作のための引手１５を具備せしめてある。
【００２３】
醗酵槽２は、内部に放線菌を接種した籾殻を充填して醗酵床とし、これに、生ごみを投入して埋没させることで好気醗酵させて分解処理する生ごみ処理機の本体となるもので、軸線方向を上下方向とした縦型で有底の円筒状に形成してある。その寸法・大きさは、この例においては、前述の外筐１に適わせて、外径が略４００ミリ、高さが略６００ミリとしてあり、底部２ａは、平板状に形成した中心部位の底壁２１と、傾斜壁２２とした周壁とでコーン状に形成してある。
【００２４】
この縦型の円筒状の醗酵槽２の外筐１に対する組み付けは、図８、図９、図１０に示しているように、まず、低い台枠状の固定台７０を組み立て、これの上に、醗酵槽２を、それの底壁２１が該固定台７０の上面に当接するように載架して支承させ、この醗酵槽２の外周の、左右の両側と後面側との３方に、前記固定台７０の外周から立ち上がる３本の支柱７１を配設し、それら支柱７１の上端側には、それら支柱７０を連結する上部桁材７２を渡架装着し、それら支柱７１の下端側は、前記固定台７０の外周側に固定連結して、固定台７０と一体的に連結する枠体７を組み立て、これに、醗酵槽２の胴周壁２３の外面を固定連結することで、醗酵槽２を、固定台７０上に支承せしめた状態において、固定台７０と一体の枠体７に該醗酵槽２の外周側が保持された状態とする。
【００２５】
そして、この状態において、固定台７０及び枠体７ごと、外筐１の内部に装入して、固定台７０及び枠体７を外筐１に一体的に組み付けることで、外筐１内にこの醗酵槽２を組み付けるようにしている。
【００２６】
醗酵槽２内に装填する醗酵床である放線菌を接種した籾殻Ｈは、上述の組み付けを終えた後に行ってよい。その籾殻の装填量は、醗酵槽２の容量の略８分程度とし、装填した状態において、醗酵槽２の内部の上端側で装填した醗酵床の上面側に、空間が形成され、この空間に、処理する生ごみが投入されるようにする。
【００２７】
この縦型円筒状の醗酵槽２の内部には、軸芯部位に上下方向の回転軸３が配設され、その回転軸３は、上端側の軸端部を前記枠体７の上部桁材７２に軸受３２を介し回転自在に軸支し、下端側の軸端部にあっては、醗酵槽２の底壁２１を貫通して該醗酵槽２の下方に突出し、その底壁２１及び醗酵槽２を支承する固定台７０の台板７３に設けた軸受３３を介し回転自在に軸支し、さらに、該回転軸３の下端側の軸端部は、前記軸受３３より下方に延出させ、その延長端部に、伝導輪３４を取り付け、この伝導輪３４を、前記枠体７の外面側に取り付け支架せる電動モータＭの出力軸に設けた駆動輪８１とに伝導チェンを介して伝導することで、電動モータＭの駆動によりこの回転軸３の駆動回転が得られるようにしてある。
【００２８】
この回転軸３には、それの周面に、帯板状の移送翼６０を螺旋に巻き付けた形態のスクリューコンベアａが取り付けられる。該コンベアａはそれを構成する螺旋の移送翼６０の外径を、醗酵槽２の内径の略２分の１程度に設定してあって、該コンベアａと醗酵槽２の胴周壁２３の内面との間に、該コンベアａの半径に略対応する巾のリング状の空間が形成されるようにしてある。また、該コンベアａは、回転軸３の周面の上端部から下端部に至る略全域に渉る範囲に巻き付けるように取り付けてあり、回転軸３が電動モータＭにより回転するときの移送方向は、移送翼６０の上面側に接する籾殻Ｈよりなる醗酵床を上方に押し上げていく方向に設定してある。
【００２９】
これにより、回転軸３が電動モータＭの作動により駆動回転することで、この螺旋の移送翼よりなるスクリューコンベアａが回転作動すると、醗酵槽２内に填め込まれている放線菌を接種した籾殻Ｈよりなる醗酵床は、該コンベアａの移送翼に接する部位が切り込まれ、その移送翼の上面側に接する部位が順次押し上げられ、醗酵槽２の上端の開放口の近くの軸芯部位に盛り上がり、そこから、スクリューコンベアａと醗酵槽２の胴周壁２３との間の周辺部位に向けて流れ、その周辺部位を、前記スクリューコンベアａによる醗酵床の軸芯部位が押し上げられることにより空洞化してくる醗酵槽２内の底部に向けて流下していき、再びスクリューコンベアａで押し上げられて醗酵槽２内を循環流動するようになる。
【００３０】
このスクリューコンベアａの移送方向の始端部となる下端部は、該コンベアａを構成する螺旋の移送翼の下端縁を、前記醗酵槽２の平板に形成した底壁２１の上面に摺接して回動するよう平板状のスクレパーに形成してあり、これにより、回転軸３の回転により作動して、醗酵槽２内の醗酵床の軸芯部位を押し上げるときに、その醗酵床の底の部位を、底壁２１の上面から浚いあげるようになって、醗酵槽２の底部に、醗酵床の一部がスクリューコンベアａによる攪拌流動の作用を受けずに停滞して残るようになるのを防止するようにしている。
【００３１】
螺旋の移送翼よりなる上述のスクリューコンベアａの移送翼の間隔ピッチ間に配位して、回転軸３に放射状に突出するように取り付ける叩き落としバーｂは、回転作動するスクリューコンベアａの移送翼が、醗酵槽２の内部に装填されている籾殻よりなる醗酵床に切り込んで、その移送翼の上面側により醗酵床を持ち上げるよう移動させるときに、これに追従して、スクリューコンベアａの周辺に位置する醗酵床が一緒にブロック状に持ち上げられて、その下方に空洞を形成するようになったときに、これを崩すように機能する。
【００３２】
上述のように空洞が形成されたとき、回転軸３に取り付けたこの叩き落としバーｂが、形成された空洞内を回動して、空洞の天井面を形成している追従して持ち上げられた醗酵床の下面を叩き、ブロック状の醗酵床を崩し、下方に落下流動していくようにする。このことから、この叩き落としバーｂは、細径の丸棒等の歯杆状に形成して、スクリューコンベアａの螺旋の翼板の下面に沿う位置において、回転軸３の周面から放射方向に突出し、突出端部が醗酵槽２の胴周壁２３の内面に略届く程度の長さに設けている。
【００３３】
この叩き落としバーｂは、上述した如く、スクリューコンベアａの螺旋翼の翼板により醗酵床を持ち上げる移送作用により、これに追従して移動するスクリューコンベアａの周辺の醗酵床を叩いて埋没している投入された生ごみの中の巾広の葉菜等により、ブロック状に塊っている醗酵床を、回転軸３の回転による回動で衝激を与えて崩すように機能すればよいものであるから、醗酵床の内部に切り込んでいくように構成する必要はなく、醗酵床に対して抵抗のないばね性のある細い歯杆状乃至細径の丸棒状に形成してある。また、回転軸３の周囲で、スクリューコンベアａの螺旋翼のピッチ間隔の各間隔内に、それぞれ１本ずつ配位し、かつ、それらの突出方向を回転軸３の周方向に順次９０度ずつ変更させて、全体として螺旋の階段状に取り付けてある。
【００３４】
醗酵槽２の胴周壁２３の下端側に寄る部位に開設した醗酵床の取出口ｃは、醗酵槽２を生ごみ処理機としての１〜２ヶ月の連続使用により、日々に投入する生ごみに対して、醗酵槽２内の醗酵床の量が増えて、醗酵槽２内から溢れるようになるか、また、醗酵床が醗酵の進行で古くなってきたときに、これを新たな籾殻と填め替えるため、醗酵槽２内から取り出すためのものであり、外筐１の正面の扉１４を開放したときに、露出してくる醗酵槽２の正面側の胴周壁２３の下端側で、該醗酵槽２のコーン状に形成してある底部２ａの傾斜壁２２より少し上方に寄る部位に、横長長方形の窓穴状に開設してあり、開閉作動を自在に設けたシャッタ８０により常態において閉塞してある。
【００３５】
この取出口ｃからの醗酵床の取り出しは、醗酵槽２内の醗酵床の交換を行うときに、シャッタ８０を開放作動させて、該取出口ｃを開放し、この状態において、醗酵槽２内に軸架してある前述のスクリューコンベアａを、連続作動させることにより、このスクリューコンベアａの回転作動によって、醗酵床が流動し、４周に向け押し出されるようになる作動を利用し、このスクリューコンベアａの連続作動で、醗酵床が自動的に順次取出口ｃから外部に流れ出るようになって排出されることによって行う。
【００３６】
スクリューコンベアａの連続運転の状態への切り替えは、外筐１に取り付けてある制御盤４に設けたスイッチＳの切り替え操作により、その制御盤４内に組み込まれている駆動モータＭの制御回路を、連続運転の状態に切り替えることで行う。
【００３７】
このスクリューコンベアａの作動による醗酵床の取出口ｃからの取り出しは、醗酵槽２内に堆積する醗酵床の上面のレベルが、取出口ｃの下縁に揃う位置に達することで停止する。この状態となったときに、スクリューコンベアａの作動を、前記制御盤４に設けたスイッチＳの操作で停止させ、取り出し作業を終了させる。その後、取出口ｃのシャッタ８０を閉じ、醗酵槽２内に新たな籾殻をそれの堆積高さが所定のレベルになるまで投入することで、床の填め換えが終了する。この填め換えが終えたとき、スクリューコンベアａを所定の時間作動させる。これにより、醗酵床の取り出しの際に、取出口ｃの下縁より下方の醗酵槽２内の底部に残留した旧の醗酵床が新たに投入した籾殻に混合して、その新たな籾殻に放線菌を接種していき、全体を醗酵床として機能するようにする。
【００３８】
制御ボックス４は、電源コード４０から取り入れた電流をコントロールする制御盤で、外筐１の内面側に取り付けてあり、内部には、電動モータＭの回転軸３の駆動回転を、例えば６時間ごとに、数分間作動するよう間欠作動とするためのタイマー回路などの制御回路が組み込まれている。
【００３９】
排気口５は、醗酵槽２内に投入した生ごみが醗酵床による好気醗酵により炭酸ガスと水とに分解処理を受けたときに発生するガスを機外に排気するためのもので、外筐１の背壁の上部に寄せた部位に筒状に開設してあり、排気管（図示省略）を接続して屋外の所望の場所に導き外気に放出し得るようにしている。
【００４０】
このように構成する生ごみ処理機Ａは、電源スイッチＳをオンとして、電動モータＭを作動させ、回転軸３を駆動回転させると、醗酵槽２内の醗酵床は、それの軸芯部位がスクリューコンベアａで押し上げられて、醗酵床の上面の中心部位に盛り上がり、そこから、醗酵床の上面の周辺部位に流れて、その周辺部位を下降するように流動するが、このとき、スクリューコンベアａの移送翼６０の下面側には、醗酵床が移送翼６０の上面で切りさかれて移送翼６０の周囲の醗酵床と共に押し上げることで生ずる醗酵床がなくなった空洞が生じてくることで、周辺部位の醗酵床の下降流動は、この移送翼６０の下面側及び移送翼６０の周辺に形成される空洞に向けて行われる。しかも、この醗酵床の流動は、移送翼６０の下面に沿い回転軸３から放射状に突出する叩き落としバーｂにより、空洞の天井面から崩されて、ときほぐされた状態となって、形成された空洞の底面を流動するように行われる。このことから、醗酵床は、醗酵槽２内をスクリューコンベアａを中心に螺旋状に流動しながら下降していくようになり、醗酵床の全体を攪拌していくようになって、投入した生ごみの好気醗酵を良好に進行させるようになる。
【実施例２】
【００４１】
図１２は、別の実施例の前面側の扉を開放した状態における正面図で、醗酵槽は胴周壁の一部を破断して内部を露出させた状態に示している。
【００４２】
この例の生ごみ処理機Ａは、箱状に形成した外筐１内に軸線方向を上下方向とした縦の円筒状に形成した醗酵槽２を組み込み、それの内部に、放線菌を接種した籾殻Ｈを、容量の８分目程度に填め、かつ、この填め込んだ籾殻により形成する醗酵床を循環流動させるために、醗酵槽２の内部の軸芯部位に、縦のスクリューコンベアａを配設し、これを電動モータＭにより間欠的に作動させるようにしておいて、日々に生ずる生ごみを、外筐１の上蓋１０を開放して、それにより露出してくる醗酵槽２の上部の開放口から該槽２内の醗酵床の上に投入することで、好気醗酵により分解処理することについては、前述の実施例のものと変わりがなく、醗酵槽２の下端側にコーン状に形成する底部２ａの周壁を、前述の例のものにあっては、断面視において直板状に傾斜する傾斜壁２２としているのに対し、この例では、断面視において、弧状に弯曲する弯曲壁２２ａに形成して、それの下端縁を平板状の底壁２１に接続させた形態のものとしている点と、醗酵槽２の胴周壁２３の下端に寄る部位に開設せる取出口ｃに付設するシャッタ８０を、上下にスライドする差戸状の塞板に形成している点において異なるだけで、その余の構成は変わりがないので、同じ構成部材について同一の符号を付して詳しい説明は省略する。
【図面の簡単な説明】
【００４３】
【図１】従前の生ごみ処理機の、蓋板を開放して、内部の醗酵槽に対する生ごみの投入を可能とした状態の全体の斜視図である。
【図２】同上の生ごみ処理機の、醗酵槽の一部破断した斜視図である。
【図３】本考案による生ごみ処理機の、斜視図である。
【図４】同上の正面図である。
【図５】同上の側面図である。
【図６】同上の平面図である。
【図７】同上の後面図である。
【図８】同上の生ごみ処理機の、外筐の正面扉を開放し、かつ、内部に収蔵せる醗酵槽を縦断して示す正面図である。
【図９】同上生ごみ処理機の、外筐の上面の台板及び上蓋を取り外した状態の平面図である。
【図１０】同上の、外筐の正面扉を取り外し、外筐を透視状態に表して、醗酵槽及び枠体を示している斜視図である。
【図１１】同上の、要部の縦断面図である。
【図１２】同上の、別の実施例の、外筐の正面扉を開放した状態の正面図である。
【符号の説明】
【００４４】
Ａ    生ごみ処理機
Ｈ    籾殻
Ｍ    モータ
Ｓ    電源スイッチ
ａ    スクリューコンベア
ｂ    叩き落としバー
ｃ    取出口
１    外筺
１０    蓋板
１１    上蓋
１２    取手
１３    蝶番
１４    開閉扉
１５    引手
２    醗酵槽
２ａ  底部
２０    端壁
２１    底壁
２２    傾斜壁
２２ａ  弯曲壁
２３    胴周壁
３    回転軸
３０    攪拌翼
３１    駆動ギヤ
３２    軸受
３３    軸受
３４    伝導輪
４    制御盤
４０    電源コード
５    排気口
６０    移送翼
７    枠体
７０    固定台
７１    支柱
７２    上部桁材
７３    台板
８０    シャッタ
８１    駆動輪
【図１】
0003142148.tif 000003
【図２】
0003142148.tif 000004
【図３】
0003142148.tif 000005
【図４】
0003142148.tif 000006
【図５】
0003142148.tif 000007
【図６】
0003142148.tif 000008
【図７】
0003142148.tif 000009
【図８】
0003142148.tif 000010
【図９】
0003142148.tif 000011
【図１０】
0003142148.tif 000012
【図１１】
0003142148.tif 000013
【図１２】
0003142148.tif 000014